(57)【要約】【課題】容易に且つ部屋の雰囲気や人の好みに応じてデザインを変更して用いることのできる家具転倒防止具を提供すること、及び優れたデザイン性、及び部屋の雰囲気等に合わせることのできる機能を備えつつ、部屋の天井面と家具の上面とをしっかりと突っ張って設置されるようにして地震が起きたときの家具の揺れを好適に抑えることのできる家具転倒防止具を提供すること。【解決手段】家具の上面と室内の天井面との間に、該家具の上面と室内の天井面とを突っ張った状態で設置される家具転倒防止具であって、天井面を突っ張る上部受け部と、家具の上面を突っ張る下部受け部と、前記上部受け部と下部受け部とを連結する連結部とを備え、かつ、人の衣服型に形成されると共に、前記連結部を覆うようにした着脱自在のカバー部材を備えるようにした。【選択図】  図１
2013215226.tif 000002
【特許請求の範囲】
【請求項１】
家具の上面と室内の天井面との間に、該家具の上面と室内の天井面とを突っ張った状態で設置される家具転倒防止具であって、
天井面を突っ張る上部受け部と、
家具の上面を突っ張る下部受け部と、
前記上部受け部と下部受け部とを連結する連結部とを備え、かつ、
人の衣服型に形成されると共に、前記連結部を覆うようにした着脱自在のカバー部材を備えることを特徴とする家具転倒防止具。
【請求項２】
上部受け部は、上方へ向け二股形状に延びて天井面を突っ張るようになされ、
下部受け部は、下方に向け二股形状に延びて家具の上面を突っ張るようになされていることを特徴とする請求項１に記載の家具転倒防止具。
【請求項３】
人の頭部形状を模した頭部形状部を更に備え、
二股形状の上部受け部を人の両腕に模し、二股形状の下部受け部を人の両脚に模すと共に、連結部を覆うようにした人の衣服型のカバー部材によって人の胴部を模すことによって、人の姿を表したことを特徴とする請求項２に記載の家具転倒防止具。
【請求項４】
両腕を模した二股形状部の先端には両手部が形成されて、該両手部において室内の天井面を突っ張るようになされると共に、
両脚を模した二股形状部の先端には両足部が形成されて、該両足部において家具の上面を突っ張るようになされていることを特徴とする請求項３に記載の家具転倒防止具。
【請求項５】
連結部は伸縮自在となされていることを特徴とする請求項１乃至４のいずれかに記載の家具転倒防止具。
【発明の詳細な説明】
【技術分野】
【０００１】
本発明は、家具転倒防止具に関するものであり、より詳しくは、室内に設置された家具の上面と部屋の天井面との間に、当該家具の上面と部屋の天井面とを突っ張るようにして設置されて、地震が発生したときにも家具が倒れないようにするための家具転倒防止具に関するものである。
【背景技術】
【０００２】
言うまでもなく、日本は地震発生が多い国であり、古くから様々な防災、減災のための対策が考えられてきた。特に、室内における地震での人的被害に関しては、家具の転倒やその家具から落ちてきた収納物品による怪我が最も多いと言われている。
【０００３】
そのため、家具の転倒を防止する様々な手段が考案されており、その中の一つとして、伸縮自在の支柱部材を利用して、これを室内に設置された家具の上面と部屋の天井面との間に、当該家具の上面と部屋の天井面とを突っ張るようにして設置し、これにより家具の転倒を防止するようにした転倒防止具が広く利用されている（下記特許文献１〜２参照）。
【０００４】
この従来の家具転倒防止具によれば、当該転倒防止具が家具の上面と部屋の天井面とを常に突っ張った状態となされて、家具の揺れを防止するので、家具の転倒を好適に防止することができる。
【先行技術文献】
【特許文献】
【０００５】
【特許文献１】特開平０８−２２８８６９号公報
【特許文献２】特開平０８−２３８１３７号公報
【発明の概要】
【発明が解決しようとする課題】
【０００６】
しかしながら、上記従来の家具転倒防止具においては「家具の転倒を防止する」という機能を備えるばかりで、その機能上必要な部材のみで構成されている。それゆえ、耐震対策が必要と分かっていても、従来の家具転倒防止具を設置すれば家具その他の室内備え付け品などのデザインや雰囲気にそぐわないものとなるため、そのような家具転倒防止具を設置しないままの家庭が多く、結果として耐震対策が進んでいない現状がある。
【０００７】
また、上記従来の家具転倒防止具によれば、その上下端面、すなわち部屋の天井面及び家具の上面に接する面が一つの平坦面により構成されている。このような形態だと、例えば天井面、あるいは家具の上面が撓んでいてフラットではない場合、天井面と家具の上面とを十分に突っ張るようにして家具転倒防止具を設置したつもりでも、当該家具転倒防止具の上下端面と天井面或いは家具の上面との間に隙間ができる可能性がある。そうすると、地震の際、家具の揺れを確実に抑えることができず、結果として家具が大きく揺れたり倒れたりしてしまう。
【０００８】
本発明は、上述のような問題点を克服するためになされたものであり、容易に且つ部屋の雰囲気や人の好みに応じてデザインを変更して用いることのできる家具転倒防止具を提供することを目的とする。また、本発明は、上述のとおり優れたデザイン性、及び部屋の雰囲気等に合わせることのできる機能を備えつつ、部屋の天井面と家具の上面とをしっかりと突っ張って設置されるようにして地震が起きたときの家具の揺れを好適に抑えることのできる家具転倒防止具を提供することを目的とする。
【課題を解決するための手段】
【０００９】
上記課題を解決するため、本発明に係る家具転倒防止具は、家具の上面と室内の天井面との間に、該家具の上面と室内の天井面とを突っ張った状態で設置される家具転倒防止具であって、天井面を突っ張る上部受け部と、家具の上面を突っ張る下部受け部と、前記上部受け部と下部受け部とを連結する連結部とを備え、かつ、人の衣服型に形成されると共に、前記連結部を覆うようにした着脱自在のカバー部材を備えることを特徴とする。
【００１０】
本発明に係る家具転倒防止具によれば、人の衣服型に形成されると共に前記連結部を覆うようにした着脱自在のカバー部材を備えているので、人の姿を表して人が家具と天井との間を突っ張るようにして支えているかの如くデザインとなされると共に、様々な形態やデザインのカバー部材を付け替えることで、容易にデザイン変更が可能である。また、上述のとおり優れたデザイン性、及び部屋の雰囲気等に合わせることのできる機能を備えつつ、部屋の天井面と家具の上面とをしっかりと突っ張って設置されるようにして地震が起きたときの家具の揺れを好適に抑えることが可能である。
【００１１】
本発明に係る家具転倒防止具において、上部受け部は、上方へ向け二股形状に延びて天井面を突っ張るようになされ、下部受け部は、下方に向け二股形状に延びて家具の上面を突っ張るようになされているようにしてもよい。このようにすれば、その二股形状の上下受け部で部屋の天井面と家具の上面を支える（押圧する）ので、二股形状の上部受け部の２つの先端面及び上部受け部の２つの先端面がそれぞれ家具を設置する壁面の方へ向かって前後方向に配されるようにして天井面あるいは家具の上面に接するように設置されれば、家具の前後方向の揺れを好適に抑えることが出来る。また、上部受け部と下部受け部がそれぞれ二股形状となされていることで、より人の姿に近い外観を備えるものとなる。
【００１２】
さらに、本発明に係る家具転倒防止具において、人の頭部形状を模した頭部形状部を更に備え、二股形状の上部受け部を人の両腕に模し、二股形状の下部受け部を人の両脚に模すと共に、連結部を覆うようにした人の衣服型のカバー部材によって人の胴部を模すことによって人の姿を表すようにしてもよい。このようにすれば、尚一層、人が天井と家具とを支えているように見える。
【００１３】
また、本発明に係る家具転倒防止具において、両腕を模した二股形状部の先端には両手部が形成されて、該両手部において室内の天井面を突っ張るようになされると共に、両脚を模した二股形状部の先端には両足部が形成されて、該両足部において家具の上面を突っ張るようにすることもできる。このようにすれば、前記両手部の先端及び両足部の先端が部屋の天井面と家具の上面とをしっかりと突っ張ることができるので、より確実に家具の揺れを抑えることが可能となる。
【００１４】
さらに、本発明に係る家具転倒防止具において、連結部は伸縮自在となされているようにすることができる。このようにすれば、部屋の天井面と家具の上面との距離が様々であっても、連結部を伸縮させて当該天井面と家具の上面との間に突っ張らせて設置することが可能となる。
【発明の効果】
【００１５】
以上のとおり、本発明に係る家具転倒防止具によれば、人の衣服型に形成されると共に前記連結部を覆うようにした着脱自在のカバー部材を備えているので、人の姿を表して人が家具と天井との間を突っ張るようにして支えているかの如くデザインとなされると共に、様々な形態やデザインのカバー部材を付け替えることで、容易にデザイン変更が可能である。また、上述のとおり優れたデザイン性、及び部屋の雰囲気等に合わせることのできる機能を備えつつ、部屋の天井面と家具の上面とをしっかりと突っ張って設置されるようにして地震が起きたときの家具の揺れを好適に抑えることが可能である。
【図面の簡単な説明】
【００１６】
【図１】本発明に係る家具転倒防止具の一実施形態を示す図であり、複数の家具転倒防止具を室内の天井面と家具の上面との間に設置した使用状態を示す図である。
【図２】図１に示した家具転倒防止具において、カバー部材を取り外した状態を示した図である。
【図３】図２に示した状態の家具転倒防止具本体について、家具の全体を含んでその設置状態を示した説明図である。
【図４】図１に示した家具転倒防止具の斜視図である。
【図５】図４の家具転倒防止具からカバー部材を取り外した家具転倒防止具本体を示した斜視図である。
【図６】図５に示した家具転倒防止具本体の（ａ）は正面図、（ｂ）は右側面図である。
【図７】図６のＸ−Ｘ線における断面図である。
【図８】本発明に係る家具転倒防止具のカバー部材の一実施形態を示す図である。
【図９】本発明に係る家具転倒防止具の別の実施形態を示した図であり、カバー部材を取り外した状態を示した説明図である。
【図１０】本発明に係る家具転倒防止具の更に別の実施形態を示した図であり、カバー部材を取り外した状態を示した説明図である。
【発明を実施するための形態】
【００１７】
以下、本発明を実施するための形態を、図面に基づいて詳細に説明する。
【００１８】
図１は、本発明に係る家具転倒防止具の一実施形態を示すものであり、部屋の天井面Ｃと家具の上面との間に設置された使用状態を示す図である。
【００１９】
ここでは、計４体の家具転倒防止具１が設置され、それぞれの上部受け部４が天井面Ｃを押圧し、下部受け部５が家具Ｆの上面Ｆａを押圧するようにして、これにより家具転倒防止具１は、天井面Ｃと家具Ｆの上面Ｆａとの間に、当該天井面Ｃと家具Ｆの上面Ｆａとを突っ張るようにして設置されるものである。尚、ここに示した家具Ｆは、言うまでもなく書籍を多数収納した本棚Ｆであり、図３に示すようにその背面を壁面Ｇに沿うようにして、床面Ｇ上に設置されている。
【００２０】
尚、本実施形態における１体の家具転倒防止具１を示したのが図４であり、この家具転倒防止１は、図５及び図６に示した家具転倒防止具本体２に、人の衣服の外観を有するカバー部材３を取り付けたものである。
【００２１】
図５に示すように、家具転倒防止具本体２は、天井面Ｃに接しこれを下方から押圧して支える上部受け部４と、家具Ｆの上面Ｆａに載置されこれを上方から押圧する下部受け部５とを備え、また、上部受け部４と下部受け部５とを連結する伸縮自在の連結部６を備えている。さらに、人の頭の形を模した頭部形状部７を備えている。
【００２２】
図５に示すように、上部受け部４は、上方へ向かって二股に分かれた二股形状となされており、これにより図６に示した正面視で略逆門形として人の両肩部及び両腕部を模した形状としている。また、二股形状となされた先端部（上端部）は、それぞれ正面視で左右側方（外側）へ張り出すようになされ、これにより人の両手を模した手型部形状としている。以上のような構成により、上部受け部４は天井面Ｃを支える人の両腕のような形状となされている。
【００２３】
また、同じく図５及び図６に示すように、下部受け部５は、下方に向かって二股に分かれた二股形状となされており、これにより図６に示した正面視で略門形として人の腰部及び両脚部を模した形状としている。また、二股形状となされた先端部（下端部）は、それぞれ正面視で左右側方（外側）へ張り出すようになされ、これにより人の両足を模した足型部としている。以上のような構成により、下部受け部５は、家具の上面に足の裏をつけ、しっかりと踏ん張る人の両脚のような形状となされている。
【００２４】
尚、この実施形態における上部受け部４及び下部受け部５はいずれもＡＢＳ樹脂材料により形成されたものであるが、これと同様に成型でき、かつ所定の強度を備えたものであれば、任意の合成樹脂材料、金属材料、木材等を選択して適用することが可能である。
【００２５】
連結部は、図５に示すように、外形が円柱形状の棒状部材よりなるものであり、上部受け部４と下部受け部５を連結するものである。図６及び図７に示すように、この連結部６は、表面を樹脂被覆した鋼管により形成された円筒形状の下側支柱体６１と、同じく樹脂被覆した鋼管により形成されると共に下側支柱体６１の内径よりも僅かに小さい外径を有する円筒形状の上側支柱体６２とを備えており、上側支柱体６２を下側支柱体６１内に嵌挿することが可能である。下側支柱体６１の上端部には樹脂材料で形成された円筒形状のジョイント部材６３が嵌着されており、当該ジョイント部材６３の周側壁には外側周側壁から内側周側壁へと貫通すると共にネジ溝が形成されたネジ孔６３１が設けられ、当該ネジ孔６３１にネジ部材Ｎが螺合されている（図７参照）。以上のような構成により、上側支柱体６２を下側支柱体６１内に嵌挿し、連結部６の全長を所定長さに調節した状態でネジ部材Ｎを強く締め付けることによって、上側支柱体６２を下側支柱体６１に対して固定することが可能であり、これにより連結部６の全長を所望の長さとすることができる。
【００２６】
尚、同じく図７に示すように、連結部６の上端部は、上部受け部４の下面における略中心位置に形成された下方へ開口する円柱状の空洞部４７内に嵌入されている。また、連結部６の下端部（正確には、連結部６の下端に取り付けられた回転子８２の下端部）は、下部受け部５の上面における略中心位置に形成された上方へ開口する円柱上の空洞部５７内に嵌入されている。
【００２７】
さらに、この実施形態においては、下側支柱体６１の下端部にはジャッキ機構８が設けられている。このジャッキ機構８は、下側支柱体６１の下端部に嵌着されたネジ孔付きキャップ８１と、該ネジ孔付きキャップ８１と下部受け部５との間に配された回転子８２とを備えている（図７参照）。
【００２８】
ネジ孔付きキャップ８１は、上下方向に開口すると共にネジ溝が形成されたネジ孔８１１を備えている。回転子８２は、外形が略円柱形状となされた回転子本体８２１と、回転子本体８２１内に備えられ、上方へ向けて突出するネジ部８２２とを備えている。より詳しくは、この回転子本体８２１の上端側には、上方へ開口する円柱形状の上側開口部８２１ａが形成され、当該上側開口部８２１ａ内に、その底部から上方へ向けて延びるネジ部８２２が設けられている。このネジ部８２２はネジ孔付きキャップ８１のネジ孔８１１に螺合可能となされている。
【００２９】
また、回転子本体８２１の下端部は、上端部側よりもその外径寸法が小さいものとなされ、当該下端部は、下部受け部５の上面における略中心位置に形成された上方に開口する円柱状の空洞部５７内に嵌入されている。この回転子８２は、水平回転可能となされている。すなわち、この回転子本体８２１を掴んでその外周方向へ回動させることにより、回転子８２を水平回転させることができるようになされている。これにより、この水平回転によってネジ部８２２をネジ孔８１１に螺入あるいはその逆の動作を行えば、連結部６の全長を短くしたり長くしたりすることができる。
【００３０】
そして、この回転子８２を利用することで、以下に示すように、より適切に連結部６の長さ調節をすることが可能となる。すなわち、先ずはじめに、予めネジ部８２２をネジ孔８１１に螺入しておく。このとき、ネジ部８２２をその最奥部までネジ孔８１１に螺入しておくのが好ましい。その上で、この家具転倒防止具本体２を家具Ｆの上面Ｆａに載置し、上部受け部４と下部受け部５とがそれぞれ天井面Ｃと家具Ｆの上面Ｆａを押圧する（突っ張る）ようにして連結部６の長さ調整を行う（既述のとおり、上側支柱体４を下側支柱体内５に嵌挿し、連結部６の全長を所定長さに調節した状態でネジ部材Ｎを強く締め付けることにより行う）。そうした後に、回転子８２をネジ部８２２の螺入とは逆の方向へ回転させる。このようにすれば、連結部６の全長が長くなり、上部受け部４及び下部受け部５を介して天井面Ｃと家具Ｆの上面Ｆａとをより強く押圧するので、より確実に家具Ｆの揺れや転倒を抑えることができる。
【００３１】
さらに、上部受け部４の両腕間には、正面視楕円形状として人の頭の形状を模した頭部形状部７が設けられている。この頭部形状部７は正面視した楕円の長軸を６５°程度傾けた形状としていて、これにより人が頭を傾けて必死に天井面を支えている状態を表現したものとしている。尚、この実施形態における頭部形状部７はＡＢＳ樹脂材料により形成されたものであるが、これと同様に成型でき、かつ所定の強度を備えたものであれば、任意の合成樹脂材料、金属材料、木材等を選択して適用することが可能である。また、この頭部形状部７の形状は、ここに示した形状に限られるものではなく、人の頭部様の形状であれば、様々な形態のものを適用可能である。
【００３２】
上述のようにして設置した家具転倒防止具本体２（図２及び図５参照）に、紙製のカバー部材３を取り付けると図１及び図４に示した家具転倒防止具１となる。このカバー部材３は、図８にその展開図を示した１枚の紙材からなるものであって、その中心位置に頭部形状部７を挿通可能な首穴部３ａが形成され、折り目線Ｌを折ると、肩衣部３１、前身ごろ部３２及び後見ごろ部３３とからなるノースリーブシャツのようなカバー部材３となる形態のものとしている。これを、その首穴部３ａに頭部形状部７を挿通させて、肩衣部３１を上部受け部４の肩部に載せるようにすれば、家具転倒防止具本体２がノースリーブシャツを着ているような外観となり、これにより家具転倒防止具１は、人が天井面Ｃと家具Ｆの上面Ｆａとを突っ張って支えているような外観を呈するようになる。
【００３３】
尚、この実施形態においては、ノースリーブシャツ様のカバー部材３を例示したが、これに限られず、様々な洋服、和服、ユニフォーム、その他デザインの衣類形状とすることができる。ここでは図示しないが、様々な模様や色彩を付したものとしてもよい。また、このカバー部材３は紙以外の材料で形成されるものであってもよい。例えば、合成樹脂製のフィルムを折り曲げたものや樹脂成型品でもよく、或いは布地や編物で作成した衣類を着せるようにすることもできる。
【００３４】
さらに、このカバー部材３は、家具転倒防止具１の製品パッケージに同梱するのみならず、例えばインターネット上の製品販売用ホームページにおいて様々なカバー部材３（衣服）のデザインを提供するようにしてもよい。ユーザは、当該ホームページからカバー部材３のデザインをダウンロードしてプリントアウトし、更にこれをデザイン（衣服の形状）どおりに切り抜いて、これをカバー部材３として利用することができる。
【００３５】
図９及び図１０は、それぞれ本発明に係る家具転倒防止具１の別の実施形態を示したものである。これらの実施形態においては、いずれも連結部６を２本としている（尚、図９の実施形態に比べ、図１０に示した形態の方が２本の連結部６が左右外寄りに設けられている）。このように連結部６を２本とすれば、家具転倒防止具１が、その正面視前後方向への力に対してより安定的に天井面Ｃ及び家具Ｆの上面Ｆａを突っ張って支持することが可能となる。
【００３６】
以上のとおり、具体的な実施形態を示して本発明に係る家具転倒防止具を説明してきたが、本発明は上述の実施形態に限られるものではなく、本発明の趣旨を逸脱しない範囲で様々に形態等を変更することが可能なものである。すなわち、今回開示した実施形態は、すべての点で例示であって、限定的な解釈の根拠となるものではない。したがって、本発明の技術的範囲は、上述した実施形態のみによって解釈されるものではなく、特許請求の範囲の記載に基づいて画定され、また、特許請求の範囲と均等の意味および範囲内でのすべての変更が含まれるものである。
【符号の説明】
【００３７】
１      家具転倒防止具
２      家具転倒防止具本体
３      カバー部材
４      上部受け部
５      下部受け部
６      連結部
６１    下側支柱体
６２    上側支柱体
７      頭部形状部
Ｃ      天井面
Ｆ      家具
Ｆａ    家具の上面
Ｇ      床面
Ｗ      壁面
【図１】
2013215226.tif 000003
【図２】
2013215226.tif 000004
【図３】
2013215226.tif 000005
【図４】
2013215226.tif 000006
【図５】
2013215226.tif 000007
【図６】
2013215226.tif 000008
【図７】
2013215226.tif 000009
【図８】
2013215226.tif 000010
【図９】
2013215226.tif 000011
【図１０】
2013215226.tif 000012